(57)【要約】【課題】簡易な構成で片部の剛性を高めて、より安定して積層シート状物を押し上げることができる押上体およびそれを用いた収容ケースを提供する。【解決手段】矩形板状に形成された基台部１０と、基台部１０の一端に折曲自在に固定接続され、先端方向の中途部から延出される基台部１０よりも幅方向長さＬ２ｂの小さい幅狭部２３を有する第一片部２０と、基台部１０の第一片部２０が設けられた一端に対向する位置の一端に折曲自在に固定接続され、先端方向の中途部に幅狭部２３が挿通される開口部３２を有する第二片部３０と、第二片部３０の開口部３２より突出された第一片部２０の先端部２１及び第二片部３０の先端部３１に係止され、各先端部２１・３１を相互に近接する方向に付勢するゴム環４０と、を具備してなる。【選択図】図１
2011184058.tif 000002
【特許請求の範囲】
【請求項１】
矩形板状に形成された基台部と、
前記基台部の一端に折曲自在に固定接続され、先端方向の中途部から延出される基台部よりも幅方向長さの小さい幅狭部を有する第一片部と、
前記基台部の前記第一片部が設けられた一端に対向する位置の一端に折曲自在に固定接続され、先端方向の中途部に前記幅狭部が挿通される開口部を有する第二片部と、
前記第二片部の開口部より突出された第一片部の先端部及び前記第二片部の先端部に係止され、各先端部を相互に近接する方向に付勢する弾性部材と、
を具備してなることを特徴とする押上体。
【請求項２】
前記第一片部は、前記幅狭部に連続して延出される前記幅狭部より幅方向長さの大きい先端幅広部を有することを特徴とする請求項１に記載の押上体。
【請求項３】
前記第二片部の開口部は、前記幅狭部が挿通可能な幅狭開口部と、前記先端幅広部が挿通可能な幅広開口部とを有することを特徴とする請求項２に記載の押上体。
【請求項４】
前記第一片部及び第二片部は、長手方向長さが等しくなるように形成されることを特徴とする請求項１乃至請求項３のいずれか一項に記載の押上体。
【請求項５】
前記弾性部材はゴム環であり、前記第一片部の先端部及び第二片部の先端部にそれぞれゴム環を係止可能な切込部が形成されることを特徴とする請求項１乃至請求項４のいずれか一項に記載の押上体。
【請求項６】
前記請求項１乃至請求項５のいずれか一項に記載の押上体と積層シート状物とが収容されることを特徴とする収容ケース。
【発明の詳細な説明】
【技術分野】
【０００１】
本発明は、押上体およびそれを用いた収容ケースの技術に関し、より詳細には、所定枚数のシート状物を取り出し自在な収容ケースに収容される押上体およびそれを用いた収容ケースに関する。
【背景技術】
【０００２】
従来、ラベルやティッシュペーパ（単体）などのシート状物を積層させた積層シート状物を収容して、取出口より所定枚数のシート状物を取り出し可能とした収容ケースの構成が公知となっている。かかる収容ケースにおいては、積層シート状物とともに、積層シート状物を上方に押し上げる押上体が収容されており、押上体によって積層シート状物が収容ケースの上面方向に押し上げられた状態が維持されるように構成されている。このように押上体を用いた収容ケースでは、収容ケース内に収容されている積層シート状物の残量が少なくなっても、積層シート状物が収容ケースの底部に滞留することなく押し上げられるため、収容ケースの上壁に設けられた取出口より所定枚数のシート状物をいつでも取り出すことができる。
【０００３】
従来の押上体の構成としては、例えば、特許文献１又は特許文献２に、矩形板状に形成された基台部と、基台部の両端に折曲自在に固定接続された一又は複数の片部と、各片部を繋ぐ弾性部材等とを具備してなる構成が開示されており、押上体において、弾性部材の弾性力を利用して片部により積層シート状物を上方に押し上げる機構を有している。すなわち、各片部を弾性部材の弾性力に抗して上方から押圧させた状態で収容ケース内に収容させ、かかる状態の押上体に積層シート状物を載置させることで、収容ケース内において、弾性部材の弾性力によって積層シート状物が上方に押し上げられた状態が維持されるのである。
【０００４】
しかしながら、特許文献１又は特許文献２に開示された押上体の構成では、収容ケースの幅方向長さと略一致するように形成される基台部に対して、基台部より幅方向長さが小さい片部しか固定接続させることができなかった。そのため、片部において剛性（曲げに対する抵抗力）が不足し、片部を弾性部材の弾性力に抗して上方から押圧させた際に、弾性力や押圧力によって片部が湾曲又は屈曲してしまう場合があった。特に、シート状物としてティッシュペーパ（単体）よりも重いラベル等の薄紙を積層させた積層シート状物を用いた場合などには、積層シート状物の荷重によって片部が湾曲等して積層シート状物を上方に押し上げることができず、ひいては積層シート状物が上方に押し上げられた状態を維持することができず、シート状物を容易に取り出すことができない場合があった。
【先行技術文献】
【特許文献】
【０００５】
【特許文献１】特開２００５−２４７３９５号公報
【特許文献２】特開平１０−１２００５１号公報
【発明の概要】
【発明が解決しようとする課題】
【０００６】
そこで、本発明では、押上体およびそれを用いた収容ケースに関し、前記従来の課題を解決するもので、簡易な構成で片部の剛性を高めて、より安定して積層シート状物を押し上げることができる押上体およびそれを用いた収容ケースを提供することを目的とする。
【課題を解決するための手段】
【０００７】
本発明の解決しようとする課題は以上の如くであり、次にこの課題を解決するための手段を説明する。
【０００８】
すなわち、請求項１においては、矩形板状に形成された基台部と、前記基台部の一端に折曲自在に固定接続され、先端方向の中途部から延出される基台部よりも幅方向長さの小さい幅狭部を有する第一片部と、前記基台部の前記第一片部が設けられた一端に対向する位置の一端に折曲自在に固定接続され、先端方向の中途部に前記幅狭部が挿通される開口部を有する第二片部と、前記第二片部の開口部より突出された第一片部の先端部及び前記第二片部の先端部に係止され、各先端部を相互に近接する方向に付勢する弾性部材と、を具備してなるものである。
【０００９】
請求項２においては、前記第一片部は、前記幅狭部に連続して延出される前記幅狭部より幅方向長さの大きい先端幅広部を有するものである。
【００１０】
請求項３においては、前記第二片部の開口部は、前記幅狭部が挿通可能な幅狭開口部と、前記先端幅広部が挿通可能な幅広開口部とを有するものである。
【００１１】
請求項４においては、前記第一片部及び第二片部は、長手方向長さが等しくなるように形成されるものである。
【００１２】
請求項５においては、前記弾性部材はゴム環であり、前記第一片部の先端部及び第二片部の先端部にそれぞれゴム環を係止可能な切込部が形成されるものである。
【００１３】
請求項６においては、前記請求項１乃至請求項５のいずれか一項に記載の押上体と積層シート状物とが収容されるものである。
【発明の効果】
【００１４】
本発明の効果として、簡易な構成で片部の剛性が高められるので、より安定して積層シート状物を押し上げることができる。
【図面の簡単な説明】
【００１５】
【図１】本発明の一実施例に係る押上体の全体的な構成を示した斜視図。
【図２】押上体の側面図。
【図３】押上体の展開図。
【図４】押上体の組み立て方を示した図。
【図５】同じく押上体の組み立て方を示した図。
【図６】押上体を収容ケースに収容する際の状態を示した図。
【図７】本発明の一実施例に係る収容ケースの全体的な構成を示した斜視図。
【図８】収容ケースの一部断面側面図。
【図９】別実施例の押上体の展開図。
【発明を実施するための形態】
【００１６】
次に、発明の実施の形態を説明する。なお、以下の実施例においては、図３に示す矢印Ｘの方向を押上体１の長手方向といい、同様に矢印Ｙの方向を押上体１の幅方向という。また、図２に示す矢印Ｚの方向を押上体１の上下方向という。
【００１７】
まず、本実施例の押上体１の構成について、以下に説明する。
図１乃至図３に示すように、本実施例の押上体１は、ラベル、付箋紙、ティッシュペーパ（単体）などのシート状物２ａを積層させた積層シート状物２を収容して、所定枚数のシート状物２ａを取り出し可能とした収容ケース１００に収容して用いられる（図８参照）。押上体１の素材としては、薄板体であればその素材は特に限定されず、プラスチックや軽金属等によっても形成することができるが、本実施例の押上体１としては、加工形成が容易であるなどの点から厚さが１ｍｍ程度の厚紙が好ましく用いられる。そして、押上体１は、一の厚紙に対して所定箇所に切り込み等がなされて後述する各部（基台部１０等）が形成されるとともに、所定箇所にて屈曲されることで所定の形状となるように立体的に組み立てられる。
【００１８】
具体的には、本実施例の押上体１は、基台部１０と、基台部１０の長手方向の一端に形成される第一片部２０と、基台部１０の第一片部２０が設けられた一端に対向する位置の一端に形成される第二片部３０と、第一片部２０及び第二片部３０とが所定の形状で組み立てられた状態で、第一片部２０の先端部２１及び第二片部３０の先端部３１に係止される弾性部材としてのゴム環４０等とで構成されている。
【００１９】
基台部１０は、平面視矩形板状に形成され、押上体１の底面を構成するものであり、この基台部１０の長手方向の対向する両端部が折り曲げられることで、第一片部２０及び第二片部３０が折曲自在に固定接続されている。なお、図３における破線が基台部１０と第一片部２０及び第二片部３０との接続個所である折曲部１１・１１である。基台部１０は、長手向長さＬ１ａ及び幅方向長さＬ１ｂが略同じ長さとなるように形成され、その長手向長さＬ１ａ及び幅方向長さＬ１ｂが収容ケース１００の底壁１０３の各辺の長さに略一致するように形成されている（図８等参照）。
【００２０】
第一片部２０は、平面視矩形板状に形成され、基台部１０の一端に連続されて先端部２１が上下方向（図２における矢印Ｚ方向）に揺動自在とされている。本実施例の第一片部２０は、基台部１０の一端に連続して延出される立上部２２と、立上部２２に連続して第一片部２０の先端方向の中途部から延出される幅狭部２３と、幅狭部２３に連続して延出される先端幅広部２４等とが形成されている。
【００２１】
立上部２２は、基台部１０の一端に連続されて第一片部２０の先端方向の中途部まで延出され、基台部１０との接続端である折曲部１１にて折曲自在に固定接続されている。立上部２２は、その幅方向長さＬ２ｂが基台部１０の幅方向長さＬ１ｂと等しくなるように形成される（Ｌ１ｂ＝Ｌ２ｂ）。押上体１が立体的に組み立てられた際には（図１参照）、第一片部２０が立上部２２にて基台部１０より上方に立ち上げられる。
【００２２】
幅狭部２３は、第一片部２０の先端方向の中途部、すなわち上述した立上部２２から立上部２２の幅方向の中央より先端方向に向けて延出される。幅狭部２３は、その幅方向長さＬ２ｃが立上部２２の幅方向長さＬ２ｂ（基台部１０の幅方向長さＬ１ｂ）よりも小さくなるように形成される（Ｌ１ｂ・Ｌ２ｂ＞Ｌ２ｃ）。
【００２３】
先端幅広部２４は、幅狭部２３の端部より先端方向に向けて延出され、その端部に先端部２１が形成される。先端幅広部２４は、その幅方向長さＬ２ｄが幅狭部２３の幅方向長さＬ２ｃよりも大きくなるように形成されるとともに（Ｌ２ｃ＜Ｌ２ｄ）、立上部２２の幅方向長さＬ２ｂよりも小さくなるように形成される（Ｌ２ｂ＞Ｌ２ｄ）。また、幅狭部２３から先端幅広部２４へ至る連続面には、テーパ面２５が形成されている。
【００２４】
第二片部３０は、平面視矩形板状に形成され、基台部１０の第一片部２０が設けられた一端に対向する位置の一端に連続されて先端部３１が上下方向（図２における矢印Ｚ方向）に揺動自在とされている。第二片部３０は、その長方向長さＬ３ａが第一片部２０の長手向長さＬ２ａと等しくなるように形成されるとともに（Ｌ２ａ＝Ｌ３ａ）、その幅方向長さＬ３ｂが基台部１０の幅方向長さＬ１ｂと等しくなるように形成される（Ｌ１ｂ＝Ｌ３ｂ）。
【００２５】
第二片部３０には、先端方向の中途部に第一片部２０の幅狭部２３及び先端幅広部２４が挿通される開口部３２が形成されている。開口部３２は、第二片部３０の略中央に平面視矩形状に開口されており、幅狭部２３が挿通可能な幅狭開口部３２ａと、先端幅広部２４が挿通可能な幅広開口部３２ｂとを有している。また、幅狭開口部３２ａから幅広開口部３２ｂへ至る連続面には、テーパ面３５が形成されている。
【００２６】
幅狭開口部３２ａは、その幅方向長さＬ３ｃが第一片部２０の幅狭部２３の幅方向長さＬ２ｃよりも僅かに大きくなるように形成され（Ｌ２ｃ＜Ｌ３ｃ）、幅広開口部３２ｂは、その幅方向長さＬ３ｄが第一片部２０の先端幅広部２４の幅方向長さＬ２ｄよりも僅かに大きくなるように形成される（Ｌ２ｄ＜Ｌ３ｄ）。そのため、第二片部３０の一側面より先端幅広部２４を幅広開口部３２ｂに挿通させることで、第二片部３０の他方の側面より第一片部２０の幅狭部２３及び先端幅広部２４を突出させて、第一片部２０及び第二片部３０を交差させることができる。また、幅狭開口部３２ａが幅狭部２３よりも大きいので、第一片部２０の先端部２１及び第二片部３０の先端部３１をそれぞれ上下方向に揺動させることができる。このとき、上述したように第一片部２０の幅狭部２３と先端幅広部２４との境界にテーパ面２５が形成されるとともに、第二片部３０の幅狭開口部３２ａと幅広開口部３２ｂとの境界にテーパ面３５が形成されているため、第一片部２０及び第二片部３０を滑らかに揺動させることができる。
【００２７】
また、第一片部２０の先端部２１及び第二片部３０の先端部３１にはそれぞれゴム環４０を係止可能な一対の切込部２６・２６及び切込部３６・３６が形成されている。切込部２６・２６は、第一片部２０の先端部２１、すなわち先端幅広部２４の端部に所定の離間を有するように形成されている。一方、切込部３６・３６は、第二片部３０の先端部３１に所定の離間を有するように形成される。特に、切込部３６・３６は、その離間長さが切込部２６・２６よりも大きくなるように、第二片部３０の幅方向の縁部近傍位置であって、第二片部３０の長手方向において開口部３２と重ならない位置に形成される。
【００２８】
ゴム環４０としては、所定の弾性力を有する弾性部材が用いられ、その弾性力は、第一片部２０及び第二片部３０の形状や素材、又は積層シート状物２（シート状物２ａ）の種類などによって適宜設定することができる。特に、ゴム環４０の弾性力が強すぎると第一片部２０又は第二片部３０が湾曲又は屈曲してしまい、一方で、ゴム環４０の弾性力が弱すぎると収容ケース１００内において積層シート状物２を上方に押し上げることができないので好ましくない。
【００２９】
ここで、図１、図４乃至図６を参照しながら、押上体１の組み立て方について説明する。まず、基台部１０、第一片部２０及び第二片部３０が、それぞれ面一に位置される状態から（図３参照）、先端部２１が上方に向くように折曲部１１にて第一片部２０を折り曲げるとともに、先端部３１が上方に向くように折曲部１１にて第二片部３０を折り曲げる（図４参）。このとき、第一片部２０の先端部２１（先端幅広部２４）を開口部３２（幅広開口部３２ｂ）に挿通して、第二片部３０の一側面より第一片部２０の先端部２１（幅狭部２３及び先端幅広部２４）を突出させて、第一片部２０と第二片部３０とを交差させる。かかる状態では、第一片部２０及び第二片部３０は、それぞれ屈曲部１１を揺動中心として先端部２１・３１が揺動自在とされる（図５参照）。
【００３０】
そして、第二片部３０の開口部３２より突出された第一片部２０の先端部２１の切込部２６・２６と、第二片部３０の先端部３１の切込部３６・３６にそれぞれゴム環４０を係止する。そうすると、ゴム環４０により各先端部２１・３１が相互に近接する方向に付勢され、かかるゴム環４０の弾性力により第一片部２０及び第二片部３０が揺動されて、第一片部２０が第二片部３０の開口部３２の内縁に当接した状態で停止される（図１参照）。なお、かかる状態では、第一片部２０の先端部２１及び第二片部３０の先端部３１は、基台部１０と略平行の同一平面上に位置されている（図２参照）。
【００３１】
また、このようにして組み立てられた押圧体１は、収容ケース１００内に収容される際には、第一片部２０及び第二片部３０をゴム環４０の弾性力に抗して上方から押圧して、高さを低くした状態で収容ケース１００内に収容される（図６参照）。
【００３２】
次に、本実施例の押上体１を用いた収容ケース１００の構成について、以下に説明する。
なお、以下に示す実施例では、積層シート状物２として、ラベルや付箋紙等の薄紙よりなるシート状物２ａを複数枚積層させたものを用いた場合について説明する。積層シート状物２としては、各シート状物２ａ・２ａ・・・が取り外し自在な粘着材で相互に粘着されており、かつ粘着箇所が対向する縁部に積層順に交互に形成されている。つまり、積層シート状物２中の任意の一のシート状物２ａにおいては、上のシート状物２ａとは一の縁部にて粘着され、下方のシート状物２ａとはそれと対向する縁部にて粘着されている。
【００３３】
図７及び図８に示すように、本実施例の収容ケース１００は、周側壁１０１、上壁１０２及び下壁１０３よりなる平面視略矩形の略立方体形状に形成され、上述した押上体１と積層シート状物２とが収容される。なお、収容ケース１００の素材としては、上述した押圧体１と同様に薄板体であればその素材は特に限定されないが、厚さが１ｍｍ程度の厚紙が好ましく用いられる。また、上壁１０２及び下壁１０３は、平面視において、上述した押上体１の基台部１０及びシート状物２ａと略同じ形状・大きさに形成されている。
【００３４】
上壁１０２には、略中央の両端に渡って所定枚数のシート状物２ａを取り出し可能な取出口１０４が形成されている。収容ケース１００に収容された積層シート状物２は、この取出口１０４より最上部に位置される任意の一のシート状物２ａが突出され、突出されたシート状物２ａが摘まみながら引き出されて取り出される。また、上壁１０２には、取出口１０４の両端側の周側壁１０１との境界に切込部１０５が形成されている。このように切込部１０５が形成されることで、上壁１０２の取出口１０４側の縁部が上下方向に移動自在となり、シート状物２ａの取り出しが容易となる。
【００３５】
なお、収容ケース１００には、周側壁１０１、上壁１０２及び下壁１０３の少なくともいずれか一カ所が開口可能に形成され、内部空間に押上体１及び積層シート状物２を収容し、又は取り出すことができるように形成される。
【００３６】
収容ケース１００内では、押上体１が基台部１０を底壁１０３に当接するように配設され、第一片部２０及び第二片部３０がゴム環４０の弾性力に抗して上方から押圧されて高さを低くした状態で、押上体１に積層シート状物２が載置される。このとき、積層シート状物２は、押上体１の第一片部２０の先端部２１及び第二片部３０の先端部３１に当接されている。押上体１においては、ゴム環４０により先端部２１・３１が相互に近接する方向に付勢されているため、積層シート状物２による下向きの荷重による押圧力に抗して、ゴム環４０の弾性力により積層シート状物２が上方に押し上げられ、収容ケース１００の上壁１０２に押し付けられている。そして、収容ケース内１００に収容されている積層シート状物２の残量が少なくなっても、積層シート状物２が収容ケースの底部に滞留することなく押し上げられて、取出口１０４より所定枚数のシート状物２ａを取り出すことができる。
【００３７】
以上のように、本実施例の押上体１は、矩形板状に形成された基台部１０と、基台部１０の一端に折曲自在に固定接続され、先端方向の中途部から延出される基台部１０よりも幅方向長さＬ２ｂの小さい幅狭部２３を有する第一片部２０と、基台部１０の第一片部２０が設けられた一端に対向する位置の一端に折曲自在に固定接続され、先端方向の中途部に幅狭部２３が挿通される開口部３２を有する第二片部３０と、第二片部３０の開口部３２より突出された第一片部２０の先端部２１及び第二片部３０の先端部３１に係止され、各先端部２１・３１を相互に近接する方向に付勢するゴム環４０と、を具備してなるため、簡易な構成で第一片部２０及び第二片部３０の剛性を高めることができ、より安定して積層シート状物２を押し上げることができ、また、収容ケース１００に用いられることで積層シート状物２を確実に上方に押し上げてシート状物２ａをいつでも容易に取り出すことができる。
【００３８】
すなわち、本実施例の押上体１は、第一片部２０にて先端方向の中途部から延出される基台部１０よりも幅方向長さＬ２ｂの小さい幅狭部２３を有するとともに、第二片部３０において先端方向の中途部に幅狭部２３が挿通される開口部３２を有するため、従来の構成と比べて、第一片部２０及び第二片部３０における剛性（曲げに対する抵抗力）を向上させることができ、第一片部２０及び第二片部３０をゴム環４０の弾性力に抗して上方から押圧させた際であっても、弾性力や押圧力によって第一片部２０及び第二片部３０が湾曲又は屈曲してしまうのを防ぐことができる。特に、シート状物２ａとしてティッシュペーパ（単体）よりも重いラベルや付箋紙等の薄紙を積層させた積層シート状物２を用いた場合であっても、第一片部２０及び第二片部３０の剛性が高いため、第一片部２０及び第二片部３０が多少湾曲等したとしても、積層シート状物２を安定して上方に押し上げることが可能となる。
【００３９】
また、本実施例の第一片部２０は、幅狭部２３に連続して延出される幅狭部２３より幅方向長さＬ２ｃの大きい先端幅広部２４を有するため、押上体１に積層シート状物２を載置した状態でも、積層シート状物２を押し上げる接面を十分に確保することができ、積層シート状物２を安定的に支持して押し上げることができる。
【００４０】
また、第二片部３０の開口部３２は、幅狭部２３が挿通可能な幅狭開口部３２ａと、先端幅広部２４が挿通可能な幅広開口部３４ｂとを有するため、開口部３２を設けることによる第二片部３０の剛性の低減を最小にすることができる。
【００４１】
さらに、第一片部２０及び第二片部３０は、長手方向長さが等しくなるように形成されるため、積層シート状物２をより安定的に支持して押し上げることができる。
【００４２】
なお、押上体１及び収容ケース１００の構成としては、上述した実施例に限定されず、本発明の目的を逸脱しない限りにおいて種々の変更が可能である。
【００４３】
すなわち、上述した実施例の押上体１においては、基台部１０、第一片部２０及び第二片部３０のそれぞれの長手方向長さや幅方向長さは、押上体１の材料、積層シート状物２の種類、収容ケースの形状・大きさ等によって適宜変更することができる。ただし、第一片部２０及び第二片部３０の剛性を担保するという観点から、第一片部２０の幅狭部２３において、その幅方向長さＬ２ｃが基台部１０（立上部２２）の幅方向長さＬ１ｂ（Ｌ２ｂ）の約半分の長さとなるように形成されるのが好ましい。
【００４４】
また、切込部２６・３６の形状としては、ゴム環４０が係止可能な形状であれば特に限定されず、例えば、図９に示すように、切込部２６・３６が第一片部２０の先端部２１及び第二片部３０の先端部３１がテーパ面を有する略凹状に切り欠きされた形状に形成されてもよい。
【００４５】
また、押上体１を収容ケース１００に収容させる際には、上述した実施例（図８参照）では、基台部１０に対して第一片部２０及び第二片部３０を上方に折り曲げられた状態で基台部１０が収容ケース１００の底壁１０３に載置されるようにして収容されるが、これとは逆に、基台部１０に対して第一片部２０及び第二片部３０が下方に折り曲げられた状態で、第一片部２０の先端部２１及び第二片部３０の先端部３１が底壁１０３に当接し、基台部１０の上に積層シート状物２が載置されるように収容されてもよい。
【符号の説明】
【００４６】
１        押上体
２        積層シート状物
１０      基台部
２０      第一片部
２１      先端部
２２      立上部
２３      幅狭部
２４      幅広部
３０      第二片部
３１      先端部
３２      開口部
４０      ゴム環（弾性部材）
１００    収容ケース
【図１】
2011184058.tif 000003
【図２】
2011184058.tif 000004
【図３】
2011184058.tif 000005
【図４】
2011184058.tif 000006
【図５】
2011184058.tif 000007
【図６】
2011184058.tif 000008
【図７】
2011184058.tif 000009
【図８】
2011184058.tif 000010
【図９】
2011184058.tif 000011